(57)【要約】【課題】本考案の連結構造を有する家具を容易に複数連結できる。【解決手段】天板部と脚部を分離し天板面と脚部の上面に互いに適合する位置に凹部あるいは凸部のような嵌合部をそれぞれ設け脚部面の幅に対し天板を１／２ずらし両隣に位置する脚部の凹部と凸部を嵌め合わせることで複数の家具を連結するための連結構造。【選択図】  図８
0003106643.tif 000002
【実用新案登録請求の範囲】
【請求項１】
分離した天板面および脚部上面に凹部あるいは凸部のような嵌合部を天板面の幅に対して１／４間隔の平行線上に設ける。また脚部上面にも天板の嵌合部に適合する位置に凹部あるいは凸部のような嵌合部を脚部面の幅に対して１／４間隔の平行線上に設ける。天板の嵌合部を脚部面の幅に対して１／２にずらし両隣に位置する脚部上面の嵌合部に適合するように上方から下方に向かい嵌合する。以上のような連結方法で天板と両隣に位置する脚部を複数連結するための連結構造およびこのような連結構造を有した家具。
【考案の詳細な説明】
【技術分野】
【０００１】
本考案は家具の連結構造に関するものである。
【背景技術】
【０００２】
連結機能を有する家具、特に椅子においては会議場や集会場で椅子を連結固定して用いる。またテーブルはオフィス空間の広さに応じてテーブルを連結して用いる。連結方法は例えば脚部や天板の相対する箇所に凹部と凸部のような切欠きを有する特殊な固定具を設け互いに嵌合することで連結する。何れにおいても簡便な連結法に留意し多種多様な連結構造が考案されている。
【特許文献１】特開２００２−３４７０１号公報
【特許文献２】特開２００３−１３５１８４号公報
【考案の開示】
【考案が解決しようとする課題】
【０００３】
従来の連結構造を有する家具、特に椅子およびテーブルは脚部や天板の相対する箇所に凹部と凸部などの切欠きを有する特殊な固定具を設けることで簡便な連結が実現できた。しかしこの連結構造は木材で製作した椅子やテーブルには適していない。なぜなら木材の性質上、直接脚に切欠き部を設けた場合度重なる嵌合で容易に破損することが考えられる。また切欠き部を有する固定具を脚に取り付けた場合においても度重なる嵌合で容易に破損することが考えられる。また連結部を設けることで突起部が発生し衣服の引っかけや擦り傷などの障害になることが考えられる。本考案はこれらの問題を解決することで木材を用いた家具、特に椅子およびテーブルを簡便に連結できる構造を提供することを目的とする。
【課題を解決するための手段】
【０００４】
上記目的を実現するため天板部と脚部を分離し天板面と脚部の上面に互いに適合する位置に凹部あるいは凸部のような嵌合部をそれぞれ設け脚部面の幅に対し天板を１／２ずらし両隣に位置する脚部の凹部と凸部を嵌め合わせることで複数の家具を連結するための連結構造。
【考案の効果】
【０００５】
従来の家具、例えば椅子やテーブルの天板あるいは座板は脚部と一体構造であるが本考案では天板あるいは座板と脚部を分離し天板あるいは座板および脚部それぞれが連結具となるように考案した。このため細かな嵌合部の細工を必要としないため強度および耐久性が増した。また嵌合部の加工法、加工工数が単純化できる利点がある。
【０００６】
また請求項１のような方法で連結することでたとえば椅子をベンチとして使えたりサイドテーブルをテーブルとして使えるなど目的に応じた使い方ができるようになった。
【０００７】
また天板あるいは座板と脚部を分離することで持ち運び、収納、保管が簡便になり高齢者や女性など非力な人達でも取扱い易くなった。
【０００８】
また請求項１のような連結構造により天板あるいは座板に杉間伐材のような強度の低い材料を連結用部材として用いることができ杉間伐材の利用促進が図れる。
【考案を実施するための最良の形態】
【０００９】
椅子とサイドテーブルを一例に本考案の実施形態を図１〜図６および図１０〜図１５に基づいて説明する。
【００１０】
図１は本考案の連結構造を有する椅子の平面図、図２は連結構造を有する椅子の正面図、図３は連結構造を有する椅子の左側面図である。正面と背面また右側面と左側面は左右対称形態である。これらの図に示すように本考案の連結構造を有する椅子は木製の座板１および金属板の曲げ加工あるいは溶接加工した脚部２で構成されており座板１と脚部２は分離されている。図４のＡ−Ａ正面断面図の凸部３ｂは座板１の中心線Ａ−Ａ上に１／４間隔で２個取り付けられている。図５は脚部２の平面図で穴４が脚部上面の中心線Ｂ上に凸部３ｂに適合するように１／４間隔で２個施されている。
【００１１】
図１０は本考案の連結構造を有するサイドテーブルの平面図、図１１は連結構造を有するサイドテーブルの正面図、図１２は連結構造を有するサイドテーブルの左側面図である。正面と背面また右側面と左側面は左右対称形態である。これらの図に示すように本考案の連結構造を有するサイドテーブルは木製の天板６および金属板の曲げ加工あるいは溶接加工した脚部７で構成されており天板６と脚部７は分離されている。図１３のＤ−Ｄ正面断面図の凸部８ｂは天板６の幅に対して１／４のＤ−Ｄ上に任意間隔で取り付けられている。図１４は脚部７の平面図で穴９が脚部上面の幅に対して１／４のＥ上に凸部８ｂに適合するように任意間隔で施されている。
【実施例１】
【００１２】
本考案の連結構造を用いた一例として図７〜図９と図１６、図１７にその実施例を示す。
【００１３】
図７は隣に位置する脚部２の幅に対し座板１を１／２ずらし両隣に位置する脚部上面の穴４に凸部３ｂを上から下へ嵌合し複数連結した状態の平面図である。図８はＣ−Ｃ断面図で座板１の凸部３ｂが両隣に位置する脚部２の穴４に嵌合され連結された状態の正面断面図を表す。図９は脚部２を複数並べた状態の平面図である。以上のような連結構造を有する椅子は一例として考えられるものであってたとえば脚部２の上面に凸部３ｂを設け座板１に穴４を施し嵌合する構造も考えられる。また脚部２に木材を用いたり座板１に金属板や樹脂板など連結に耐え得る程度の強度を有した素材を用いることなども考えられる。
【００１４】
図１６は隣に位置する脚部７の幅に対し天板６を１／２ずらし脚部上面の穴９に凸部８ｂを上から下へ嵌合し複数連結した状態の平面図である。図１７はＦ−Ｆの左側面断面図で天板６の凸部８ｂが脚部７の穴９に嵌合され連結された状態を表す。以上のような連結構造を有するサイドテーブルは一例として考えられるものであってたとえば脚部７に凸部８ｂを設け天板６に穴９を施し嵌合する構造も考えられる。また脚部７に木材を用いたり天板６に金属板や樹脂板など連結に耐え得る程度の強度を有した素材を用いることなども考えられる。
【図面の簡単な説明】
【００１５】
【図１】本考案の連結構造を有する椅子の平面図である。
【図２】正面図である。正面と背面は左右対称形態である。
【図３】左側面図である。右側面と左側面は左右対称形態である。
【図４】図１Ａ−Ａの正面断面図である。
【図５】脚部の平面図である。
【図６】連結構造を有する椅子の参考斜視図である。
【図７】本考案実施例の椅子を連結した状態の平面図である。
【図８】図７Ｃ−Ｃの正面断面図で椅子を連結した状態である。
【図９】脚部を並べた状態の平面図である。
【図１０】本考案の連結構造を有するサイドテーブルの平面図である。
【図１１】正面図である。正面と背面は左右対称形態である。
【図１２】左側面図である。右側面と左側面は左右対称形態である。
【図１３】図１０Ｄ−Ｄの正面断面図である。
【図１４】脚部の平面図である。
【図１５】連結構造を有するサイドテーブルの参考斜視図である。
【図１６】本考案実施例のサイドテーブルを連結した状態の平面図である。
【図１７】図１６Ｆ−Ｆの左側面断面図でサイドテーブルを連結した状態の平面図である。
【符号の説明】
【００１６】
１    座板
１ａ  座板の正面断面図
２    椅子脚部
３    椅子凸部
３ａ  椅子凸部平面図の透視波線
３ｂ  椅子凸部の正面断面図
４    椅子脚部の穴部
５    両端座板
５ａ  両端座板の正面断面図
６    天板
６ａ  天板正面断面図
７    サイドテーブル脚部
７ａ  サイドテーブル脚部平面図の透視波線
８    サイドテーブル凸部
８ａ  サイドテーブル凸部平面図の透視波線
８ｂ  サイドテーブル凸部の正面断面図
９    サイドテーブル脚部の穴部
１０    サイドテーブル両端天板
１０ａ  サイドテーブル両端天板正面断面図
Ａ    断面一点鎖線および中心線を兼ねる。
Ｂ    中心線
Ｃ    断面一点鎖線および中心線を兼ねる。
Ｄ    断面一点鎖線
Ｅ    一点鎖線  
Ｆ    断面一点鎖線
【図１】
0003106643.tif 000003
【図２】
0003106643.tif 000004
【図３】
0003106643.tif 000005
【図４】
0003106643.tif 000006
【図５】
0003106643.tif 000007
【図６】
0003106643.tif 000008
【図７】
0003106643.tif 000009
【図８】
0003106643.tif 000010
【図９】
0003106643.tif 000011
【図１０】
0003106643.tif 000012
【図１１】
0003106643.tif 000013
【図１２】
0003106643.tif 000014
【図１３】
0003106643.tif 000015
【図１４】
0003106643.tif 000016
【図１５】
0003106643.tif 000017
【図１６】
0003106643.tif 000018
【図１７】
0003106643.tif 000019